(57)【要約】【課題】圧縮機の外周を覆うインシュレーション構造にあって、その上面カバー上に結露水が滴下した場合でも、それが内部に侵入して圧縮機本体上に落下するのを確実に防止できる圧縮機のインシュレーション構造を提供することを目的とする。【解決手段】圧縮機１の外周をインシュレーション材５により覆って遮音する圧縮機１のインシュレーション構造において、圧縮機１の上部を覆う上面カバー７には、圧縮機１に接続される冷媒配管４Ａ，４Ｂ，４Ｃを通す貫通穴部１０Ａ，１０Ｂ，１０Ｃと、該上面カバー７の端部から貫通穴部１０Ａ，１０Ｂ，１０Ｃまで延びる取付け時用の切り込み部１１Ａ，１１Ｂ，１１Ｃと、が設けられ、その貫通穴部１０Ａ，１０Ｂ，１０Ｃおよび切り込み部１１Ａ，１１Ｂ，１１Ｃの周りに、他の上面部位に対して一段高くされた盛り上げ部１２Ａ，１２Ｂが設けられている。【選択図】図１
2014173769.tif 000002
【特許請求の範囲】
【請求項１】
圧縮機の外周をインシュレーション材により覆って遮音する圧縮機のインシュレーション構造において、
前記圧縮機の上部を覆う上面カバーには、該圧縮機に接続される冷媒配管を通す貫通穴部と、該上面カバーの端部から前記貫通穴部まで延びる取付け時用の切り込み部と、が設けられ、
その貫通穴部および切り込み部の周りに、他の上面部位に対して一段高くされた盛り上げ部が設けられていることを特徴とする圧縮機のインシュレーション構造。
【請求項２】
前記上面カバーの外周縁部の特定部分に、前記貫通穴部および前記切り込み部の周囲と同様、他の上面部位に対して一段高くされた土手部が形成されていることを特徴とする請求項１に記載の圧縮機のインシュレーション構造。
【請求項３】
前記上面カバーは、外周縁部に一段高くされた土手部が設けられていない方向に向けて下向きに斜めに設置されていることを特徴とする請求項１または２に記載の圧縮機のインシュレーション構造。
【請求項４】
前記貫通穴部の穴径は、貫通される前記冷媒配管の外径より大きくされていることを特徴とする請求項１ないし３のいずれかに記載の圧縮機のインシュレーション構造。
【請求項５】
前記上面カバーは、カバー体の内面側に吸音材が設けられた構成とされていることを特徴とする請求項１ないし４のいずれかに記載の圧縮機のインシュレーション構造。
【請求項６】
前記上面カバーは、その外周が前記圧縮機の胴部外周を覆う側面カバーの外周よりも大きくされていることを特徴とする請求項１ないし５のいずれかに記載の圧縮機のインシュレーション構造。
【発明の詳細な説明】
【技術分野】
【０００１】
本発明は、圧縮機の外周をインシュレーション材により覆って遮音する、圧縮機のインシュレーション構造に関するものである。
【背景技術】
【０００２】
空気調和機等に搭載されている圧縮機は、運転された場合、モータの回転音や圧縮機構が動作することによるメカ音、あるいは冷媒の脈動による加振音等を放散し、それが騒音源となる。このため、圧縮機は、通常、外周をインシュレーション材で覆った状態で設置されることにより、遮音、防音されている。特許文献１には、かかる圧縮機のインシュレーション構造の１例が示されている。
【０００３】
この特許文献１に示されたものは、圧縮機の上部を覆う上面カバーを、遮音材と吸音材との積層構造としており、その遮音材に圧縮機に接続される冷媒配管を通す貫通穴部に配管方向に延びる筒状部を一体に形成するとともに、冷媒配管を通すためのスリット部を遮音材の端部から貫通穴部の筒状部の先端まで延長して設けた構成とすることにより、圧縮機からの騒音を、冷媒配管が貫通する遮音材の板部分ではなく、高さ方向の寸法を有する筒状部で遮音するようにしている。
【先行技術文献】
【特許文献】
【０００４】
【特許文献１】特開２０１２−１２２７００号公報
【発明の概要】
【発明が解決しようとする課題】
【０００５】
しかしながら、特許文献１のものは、インシュレーション構造の本来の機能である遮音効果の向上を目的とするものであり、圧縮機の上部を覆う上面カバー上に結露水が滴下した場合、その結露水が上面カバーを通して内部に侵入するのを防止できる構成としたものではない。圧縮機は、一般に機械室内の底面上に設置されるが、その上部空間には冷媒配管類や弁等の各種機器が配設されるのが常で、低温配管や機器が配設された場合、その表面で結露が発生し、それが上面カバー上に滴下する虞がある。
【０００６】
この結露水は、冷媒配管を通す貫通穴部の周りには筒状部が形成されているため、貫通穴部から直接インシュレーション構造の内部に侵入することはないものの、配管を通すためのスリット部から内部に侵入する虞があり、また、筒状部を有しないものでは、貫通穴部から直接内部に侵入する虞がある。この場合、結露水が圧縮機本体上に落下し、圧縮機本体の腐食のリスクを払拭することができない等の課題があった。
【０００７】
本発明は、このような事情に鑑みてなされたものであって、圧縮機の外周を覆うインシュレーション構造にあって、その上面カバー上に結露水が滴下した場合でも、それが内部に侵入して圧縮機本体上に落下するのを確実に防止できる圧縮機のインシュレーション構造を提供することを目的とする。
【課題を解決するための手段】
【０００８】
上記した課題を解決するために、本発明の圧縮機のインシュレーション構造は、以下の手段を採用する。
すなわち、本発明にかかる圧縮機のインシュレーション構造は、圧縮機の外周をインシュレーション材により覆って遮音する圧縮機のインシュレーション構造において、前記圧縮機の上部を覆う上面カバーには、該圧縮機に接続される冷媒配管を通す貫通穴部と、該上面カバーの端部から前記貫通穴部まで延びる取付け時用の切り込み部とが設けられ、その貫通穴部および切り込み部の周りに、他の上面部位に対して一段高くされた盛り上げ部が設けられていることを特徴とする。
【０００９】
本発明によれば、圧縮機をインシュレーション材により覆って遮音するインシュレーション構造にあって、圧縮機の上部を覆う上面カバーに、圧縮機に接続される冷媒配管を通す貫通穴部と、該上面カバーの端部から前記貫通穴部まで延びる取付け時用の切り込み部とが設けられ、その貫通穴部および切り込み部の周りに、他の上面部位に対して一段高くされた盛り上げ部が設けられているため、圧縮機の上部空間に配設されている配管、機器類等の表面で結露が発生し、それが上面カバー上に滴下したとしても、冷媒配管を通す貫通穴部や切り込み部の周りが盛り上げ部によって他の上面部位よりも一段高くされていることから、結露水が貫通穴部および切り込み部に向って流動し、そこから上面カバーの内部に侵入して、圧縮機本体上に落下するのを確実に阻止することができる。従って、結露水の侵入による圧縮機本体の腐食のリスクを払拭することができるとともに、圧縮機の上部空間に低温配管を配設できない等の制約をなくし、スペースを有効に利用することができる。また、貫通穴部の寸法精度を確保する必要がなくなり、上面カバーの製造や組み付けを容易化することができる。
【００１０】
さらに、本発明の圧縮機のインシュレーション構造は、上記の圧縮機のインシュレーション構造において、前記上面カバーの外周縁部の特定部分に、前記貫通穴部および前記切り込み部の周囲と同様、他の上面部位に対して一段高くされた土手部が形成されていることを特徴とする。
【００１１】
本発明によれば、上面カバーの外周縁部の特定部分に、貫通穴部および切り込み部の周囲と同様、他の上面部位に対して一段高くされた土手部が形成されているため、仮に結露水が上面カバー上に滴下したとしても、その結露水を上面カバーの外周縁部の一段高くされている土手部以外の低い部分に導いて、そこから下方へと流下させ、処理することができる。従って、結露水の流下位置を適切に管理し、結露水の滴下に起因する不具合の発生を未然防止することができる。
【００１２】
さらに、本発明の圧縮機のインシュレーション構造は、上述のいずれかの圧縮機のインシュレーション構造において、前記上面カバーは、外周縁部に一段高くされた土手部が設けられていない方向に向けて下向きに斜めに設置されていることを特徴とする。
【００１３】
本発明によれば、上面カバーが、その外周縁部に一段高くされた土手部が設けられていない方向に向けて下向きに斜めに設置されているため、上面カバー上に滴下した結露水を上面カバーの傾斜面に沿って外周縁部に一段高くされた土手部が設けられていない部位から速やかに下方に流下させることができる。従って、結露水を速やかに、かつ流下位置を適切に管理して処理することができ、結露水による不具合の発生を確実に防止することができる。
【００１４】
さらに、本発明の圧縮機のインシュレーション構造は、上述のいずれかの圧縮機のインシュレーション構造において、前記貫通穴部の穴径は、貫通される前記冷媒配管の外径より大きくされていることを特徴とする。
【００１５】
本発明によれば、貫通穴部の穴径が、貫通される冷媒配管の外径より大きくされているため、上面カバーを貫通穴部に冷媒配管を通して斜めに組み付ける際にも、嵌め合いによって冷媒配管を貫通する必要がなく、容易に組み付けすることができる。従って、貫通穴部の穴径や加工精度の管理をラフにでき、上面カバーの製造や組み付けを容易化することができる。
【００１６】
さらに、本発明の圧縮機のインシュレーション構造は、上述のいずれかの圧縮機のインシュレーション構造において、前記上面カバーは、カバー体の内面側に吸音材が設けられた構成とされていることを特徴とする。
【００１７】
本発明によれば、上面カバーが、カバー体の内面側に吸音材が設けられた構成とされているため、圧縮機からの発生音をカバー体の内面に設けられている吸音材で吸音し、カバー体で遮音して低減することができる。従って、上面カバーの貫通穴部からの音漏れを確実に防止し、本来のインシュレーション機能を確保することにより、防音効果を維持することができる。
【００１８】
さらに、本発明の圧縮機のインシュレーション構造は、上述のいずれかの圧縮機のインシュレーション構造において、前記上面カバーは、その外周が前記圧縮機の胴部外周を覆う側面カバーの外周よりも大きくされていることを特徴とする。
【００１９】
本発明によれば、上面カバーの外周が、圧縮機の胴部外周を覆う側面カバーの外周よりも大きくされているため、上面カバーの外周に導かれ、その外周縁部から下方に流下する結露水が、下方に落下する際に側面カバーに当たって、その吸音材中に侵入するのを防止することができる。従って、側面カバー（吸音材）が結露水で濡れることによる圧縮機胴体への悪影響（錆の誘発等）を解消することができる。
【発明の効果】
【００２０】
本発明によると、圧縮機の上部空間に配設されている配管、機器類等の表面で結露が発生し、それが上面カバー上に滴下したとしても、冷媒配管を通す貫通穴部や切り込み部の周りが盛り上げ部によって他の上面部位よりも一段高くされていることから、結露水が貫通穴部および切り込み部に向って流動し、そこから上面カバー内に侵入して、圧縮機本体上に落下するのを確実に阻止することができるため、結露水の侵入による圧縮機本体の腐食のリスクを払拭することができるとともに、圧縮機の上部空間に低温配管を配設できない等の制約をなくし、スペースを有効に利用することができる。また、貫通穴部の寸法精度を確保する必要がなくなり、上面カバーの製造や組み付けを容易化することができる。
【図面の簡単な説明】
【００２１】
【図１】本発明の第１実施形態に係る圧縮機のインシュレーション構造を示す主要部の斜視図である。
【図２】図１に示す圧縮機のインシュレーション構造の縦断面である。
【図３】図１に示す圧縮機のインシュレーション構造を構成する上面カバーの平面図である。
【図４】図３に示す上面カバーを下方側から見た側面図である。
【図５】図３に示す上面カバーを右側から見た側面図である。
【図６】図３に示す上面カバーのＡ−Ａ断面図である。
【図７】図３に示す上面カバーのＢ−Ｂ断面図である。
【図８】本発明の第２実施形態に係る上面カバーの要部の断面図である。
【発明を実施するための形態】
【００２２】
以下に、本発明にかかる実施形態について、図面を参照して説明する。
［第１実施形態］
以下、本発明の第１実施形態について、図１ないし図７を用いて説明する。
図１には、本発明の第１実施形態に係る圧縮機のインシュレーション構造を示す主要部の斜視図が示され、図２には、その縦断面が示され、図３ないし図７には、上面カバーの具体的構成が示されている。
空気調和機等において、圧縮機１（図２参照）は、通常、仕切り板２によって区画された機械室３の底面上に防振ゴム等を介して防振支持されている。
【００２３】
圧縮機１本体には、少なくとも２本の冷媒吸入配管および吐出配管が接続され、その他にインジェクション配管等の冷媒配管が接続されている。本実施形態では、３本の冷媒配管４Ａ，４Ｂ，４Ｃが接続されているものとする。また、圧縮機１は、機械室３の底面上に設置されるが、その上部空間には、上記３本の冷媒配管４Ａ，４Ｂ，４Ｃからの延長配管やそれに接続される配管、あるいはそれらの配管中に設けられる各種の弁および機器類等が図示の如く配設されている。
【００２４】
圧縮機１は、運転時の作動音が騒音として外部に放散されるのを抑制するため、その外周をインシュレーション材５により覆った構成とされている。このインシュレーション材５は、圧縮機１の胴部外周を覆う筒状に巻かれた胴部インシュレーション材（以下、単に側面カバーという。）６と、上部を覆う帽子状の上部インシュレーション材（以下、単に上面カバーという。）７とから構成されている。
【００２５】
上記の側面カバー６および上面カバー７は、それぞれオレフィンシート等からなるカバー体８と、フェルト材等からなる吸音材９との積層構造とされている。なお、積層構造とされる側面カバー６および上面カバー７は、カバー体８の内面に吸音材９を貼り付けて使用してよいし、単に重ね合わせて使用してもよい。また、側面カバー６は、図２に示されるように、カバー体８の内面だけでなく、外面側にも吸音材９を積層した３層構造のカバーとし、防音効果を高めるようにしてもよい。
【００２６】
側面カバー６は、円筒状とされている圧縮機１の密閉容器１Ａの外周に、その全周を覆うように巻き付けられるものであって、圧縮機１の高さと略同等高さの円筒状の筒体形状とされている。また、その上部開口端は、図２に示されるように、予め定められた方向に所定角度傾斜された開口とされている。
【００２７】
一方、圧縮機１の上部を覆う上面カバー７は、側面カバー６の傾斜された上部開口端に被せられるものであり、上面カバー７を構成するカバー体８および吸音材９には、３本の冷媒配管４Ａ，４Ｂ，４Ｃを貫通する３つの貫通穴部１０Ａ，１０Ｂ，１０Ｃと、これら３本の冷媒配管４Ａ，４Ｂ，４Ｃを貫通穴部１０Ａ，１０Ｂ，１０Ｃに通すため、カバー体８および吸音材９の端部から貫通穴部１０Ａ，１０Ｂ，１０Ｃまで延びる取付け時用の切り込み部（スリット）１１Ａ，１１Ｂ，１１Ｃと、が設けられている。なお、貫通穴部１０Ａ，１０Ｂ，１０Ｃの穴径は、貫通する各冷媒配管４Ａ，４Ｂ，４Ｃの外径よりも５〜１０ｍｍ程度大きくされている。
【００２８】
また、上面カバー７のカバー体８には、図３ないし図７に示されるように、３本の冷媒配管４Ａ，４Ｂ，４Ｃを貫通する貫通穴部１０Ａ，１０Ｂ，１０Ｃおよび切り込み部１１Ａ，１１Ｂ，１１Ｃの周辺部位全体を、他の上面部位に対して一段高く（５〜１０ｍｍ程度高くすればよい。）した盛り上げ部１２Ａ，１２Ｂが形成されている。この盛り上げ部１２Ａ，１２Ｂは、貫通穴部１０Ａ，１０Ｂ，１０Ｃの周りから切り込み部（スリット）１１Ａ，１１Ｂ，１１Ｃに沿って、カバー体８の周縁部までの範囲に設けられている。
【００２９】
さらに、カバー体８の周縁部には、冷媒配管類１４等が近接して配設される特定部分に対応して、貫通穴部１０Ａ，１０Ｂ，１０Ｃおよび切り込み部１１Ａ，１１Ｂ，１１Ｃの周囲と同様、他の上面部位に対して一段高くした土手部１３Ａ，１３Ｂ，１３Ｃが所定の範囲に亘って設けられている。この土手部１３Ａ，１３Ｂ，１３Ｃは、上面カバー７上に滴下した結露水の下方への流下位置を管理するためのものであり、結露水は傾斜設置した上面カバー７の周縁部に土手部１３Ａ，１３Ｂ，１３Ｃが設けられていない部位の最も低い位置から下方に流下されるようになっている。
【００３０】
また、上面カバー７の外周は、上記側面カバー６の外周よりも大きくされており、図２に示されるように、上面カバー７を側面カバー６の上部開口端に被せたとき、上面カバー７を構成するカバー体８の外周縁部に設けられた下向きの鍔部が、側面カバー６の外周から５ｍｍ以上、好ましくは５〜１０ｍｍ程オーバーハングする構成とされている。
なお、上面カバー７の中央部位には、圧縮機１の密閉容器１Ａの頂部に設けられている吊り金具１５に対応して、その吊り金具１５が収容されるように上方に突出された突出部１６が形成されている。
【００３１】
以上に説明の構成により、本実施形態によれば、以下の作用効果を奏する。
圧縮機１を運転することにより周囲に発散される駆動音を、その外周を覆う側面カバー６および上面カバー７により構成されるインシュレーション材５で遮音、吸音することによって、防音することができる。一方、機械室３内において、圧縮機１を設置した部位の上部空間に配設されている冷媒配管や各種機器類の表面で結露が生じた場合、その結露水はインシュレーション材５の上面カバー７上に滴下する。
【００３２】
しかるに、上面カバー７上に滴下した結露水は、冷媒配管４Ａ，４Ｂ，４Ｃを通す貫通穴部１０Ａ，１０Ｂ，１０Ｃおよび切り込み部１１Ａ，１１Ｂ，１１Ｃの周囲が他の上面部位に対して一段高くされた盛り上げ部１２Ａ，１２Ｂとされており、また、特定の外周縁部に、一段高くされた土手部１３Ａ，１３Ｂ，１３Ｃが所定範囲に亘って設けられているため、それらの部位や方向に流動することはなく、更に、上面カバー７自体が予め定められた方向に所定の角度で傾斜配置されていることから、最も低位とされた方向、位置に導かれ、そこから下方に流下されて処理されることになる。
【００３３】
また、上面カバー７の上面の最も低位とされた位置から下方に流下する結露水は、上面カバー７の外周が、圧縮機１の胴部外周を覆う側面カバー６の外周よりも適宜寸法（５ｍｍ以上オーバーハングする。）だけ大きくされているため、下方に落下する際に側面カバー６の外面側の吸音材９に当たってフェルト材中に侵入したりすることはなく、結露水を直接下方に落下させることで、側面カバー６が濡れ圧縮機１の胴体に悪影響（錆を誘発）を与える心配を解消することができる。
【００３４】
斯くして、本実施形態によると、圧縮機１をインシュレーション材５により覆って遮音するインシュレーション構造にあって、圧縮機１の上部を覆う上面カバー７に、圧縮機１に接続される冷媒配管４Ａ，４Ｂ，４Ｃを通す貫通穴部１０Ａ，１０Ｂ，１０Ｃと、該上面カバー７の端部から貫通穴部１０Ａ，１０Ｂ，１０Ｃまで延びる取付け時用の切り込み部１１Ａ，１１Ｂ，１１Ｃと、が設けられ、その貫通穴部１０Ａ，１０Ｂ，１０Ｃおよび切り込み部１１Ａ，１１Ｂ，１１Ｃの周りに、他の上面部位に対して一段高くされた盛り上げ部１２Ａ，１２Ｂが設けられた構成とされている。
【００３５】
このため、圧縮機１の上部空間に配設されている配管、機器類等の表面において結露が発生し、それが上面カバー７上に滴下したとしても、冷媒配管４Ａ，４Ｂ，４Ｃを通す貫通穴部１０Ａ，１０Ｂ，１０Ｃや切り込み部１１Ａ，１１Ｂ，１１Ｃの周りが、盛り上げ部１２Ａ，１２Ｂによって他の面よりも一段高くされていることから、結露水が貫通穴部１０Ａ，１０Ｂ，１０Ｃおよび切り込み部１１Ａ，１１Ｂ，１１Ｃに向って流動し、そこから上面カバー７内に侵入することはなく、これにより、圧縮機１本体上に結露水が落下するのを確実に阻止することができる。
【００３６】
従って、結露水の侵入による圧縮機１本体の腐食のリスクを払拭することができるとともに、圧縮機１の上部空間に低温配管等を配設できない等の制約をなくし、スペースを有効に利用することができる。また、貫通穴部１０Ａ，１０Ｂ，１０Ｃの寸法精度を高精度とする必要がなくなり、上面カバー７の製造や組み付けを容易化することができる。
【００３７】
また、上面カバー７の外周縁部の特定部分に、貫通穴部１０Ａ，１０Ｂ，１０Ｃおよび切り込み部１１Ａ，１１Ｂ，１１Ｃの周囲と同様、他の上面部位に対して一段高くした土手部１３Ａ，１３Ｂ，１３Ｃを設けた構成としている。このため、仮に結露水が上面カバー７上に滴下したとしても、その結露水を上面カバー７の外周縁部の一段高くされている土手部１３Ａ，１３Ｂ，１３Ｃ以外の低い部分に導き、そこから下方へと流下させ、処理することができる。従って、結露水の流下位置を適切に管理し、結露水の滴下に起因する不具合の発生を未然防止することができる。
【００３８】
さらに、本実施形態においては、上面カバー７が、その外周縁部に一段高くされた土手部１３Ａ，１３Ｂ，１３Ｃが設けられていない方向に向けて下向きに斜めに傾斜配設されているため、上面カバー７上に滴下した結露水を上面カバー７の傾斜面に沿って、外周縁部に一段高くされた土手部１３Ａ，１３Ｂ，１３Ｃが設けられていない部位から速やかに下方へと流下させることができる。従って、結露水を速やかに、かつ流下位置を適切に管理して処理することができ、結露水による不具合の発生を確実に防止することができる。
【００３９】
また、上面カバー７に設ける貫通穴部１０Ａ，１０Ｂ，１０Ｃの穴径を、貫通される冷媒配管４Ａ，４Ｂ，４Ｃの外径より少し大きくしている。これは、結露水の侵入を阻止するため、貫通穴部に冷媒配管をしっかり嵌め合わせて隙間を無くする必要がなくなるからであり、上記の如く、穴径を大きくすることにより、上面カバー７を貫通穴部１０Ａ，１０Ｂ，１０Ｃに冷媒配管４Ａ，４Ｂ，４Ｃを通して斜めに組み付ける際にも、その組み付けを容易化することができる。従って、貫通穴部１０Ａ，１０Ｂ，１０Ｃの穴径や加工精度の管理をラフにでき、上面カバー７の製造や組み付けを容易化することができる。
【００４０】
また、圧縮機１の上面を覆う上面カバー７が、カバー体８の内面側に吸音材９が設けられた構成とされている。このため、圧縮機１からの発生音をカバー体８の内面に設けられている吸音材９で吸音し、カバー体８で遮音して低減することができる。従って、上面カバー７の貫通穴部１０Ａ，１０Ｂ，１０Ｃ等からの音漏れを確実に防止し、本来のインシュレーション機能を確保することにより、防音効果を維持することができる。
【００４１】
さらに、上面カバー７の外周が、圧縮機１の胴部外周を覆う側面カバー６の外周よりも大きくされ、側面カバー６の外側にオーバーハングされているため、上面カバー７の外周に導かれ、その外周縁部から下方に流下する結露水が、下方に落下する際に側面カバー６に当たって、その吸音材（フェルト材）９中に侵入するのを防止することができる。これによって、側面カバー６（吸音材９）が結露水で濡れることによる圧縮機１の胴体への悪影響（錆の誘発等）を解消することができる。
【００４２】
［第２実施形態］
次に、本発明の第２実施形態について、図８を用いて説明する。
本実施形態は、上記した第１実施形態に対して、貫通穴部１０Ａ，１０Ｂ，１０Ｃおよび切り込み部１１Ａ，１１Ｂ，１１Ｃの周囲に設ける盛り上げ部の構成が異なっている。その他の点については、第１実施形態と同様であるので説明は省略する。
本実施形態においては、図８に示されるように、貫通穴部１０Ａ，１０Ｂ，１０Ｃおよび切り込み部１１Ａ，１１Ｂ，１１Ｃの周囲に設ける盛り上げ部として、他の上面部位に対して所定の高さを有する堰部１７Ａ，１７Ｂを設けた構成としている。
【００４３】
このように、貫通穴部１０Ａ，１０Ｂ，１０Ｃおよび切り込み部１１Ａ，１１Ｂ，１１Ｃの周囲に所定の高さを有する堰部１７Ａ，１７Ｂを設けることによっても、上面カバー７上に結露水が滴下した場合、その結露水が貫通穴部１０Ａ，１０Ｂ，１０Ｃおよび切り込み部１１Ａ，１１Ｂ，１１Ｃに向って流動し、そこから上面カバー７内に侵入するのを阻止することができるため、上記した第１実施形態と同様の効果を得ることができる。
【００４４】
なお、本発明は、上記実施形態にかかる発明に限定されるものではなく、その要旨を逸脱しない範囲において、適宜変形が可能である。例えば、上記実施形態では、冷媒配管４Ｂおよび４Ｃを貫通する貫通穴部１０Ｂ，１０Ｃに対する切り込み部１１Ｂ，１１Ｃを連続した１つの切り込み部（スリット）で形成し、その周囲に一体的に盛り上げ部１２Ｂを設けているが、これらは別々に設けた構成としてもよいことはもちろんである。
【符号の説明】
【００４５】
１  圧縮機
４Ａ，４Ｂ，４Ｃ  冷媒配管
５  インシュレーション材
６  胴部インシュレーション材（側面カバー）
７  上部インシュレーション材（上面カバー）
８  カバー体
９  吸音材
１０Ａ，１０Ｂ，１０Ｃ  貫通穴部
１１Ａ，１１Ｂ，１１Ｃ  切り込み部（スリット）
１２Ａ，１２Ｂ  盛り上げ部
１３Ａ，１３Ｂ，１３Ｃ  土手部
１７Ａ，１７Ｂ  堰部
【図１】
2014173769.tif 000003
【図２】
2014173769.tif 000004
【図３】
2014173769.tif 000005
【図４】
2014173769.tif 000006
【図５】
2014173769.tif 000007
【図６】
2014173769.tif 000008
【図７】
2014173769.tif 000009
【図８】
2014173769.tif 000010